(57)【要約】【課題】消費電流と組み立てコストの低減を図る上で有利な光ピックアップおよび光ディスク装置を提供する。【解決手段】光ピックアップ１０４は対物レンズ７を保持するレンズホルダ２と支持ブロック３とを備え、レンズホルダ２のトラッキング方向における両側部と支持ブロック３のトラッキング方向における両側部とは、それぞれ４本のサスペンションワイヤ８０で連結されている。４本のサスペンションワイヤ８０のうちフォーカス方向の中間に並べられた２本のサスペンションワイヤは互いに等しい値の小さいばね定数で形成され、フォーカス方向の両端に並べられた２本のサスペンションワイヤは互いに等しく前記ばね定数よりも大きい値のばね定数で形成されている。【選択図】        図２
2005327378.tif 000002
【特許請求の範囲】
【請求項１】
光源から出射された光ビームを集光して光ディスクに照射する対物レンズを保持するレンズホルダと、
前記レンズホルダから前記光ディスクの厚さ方向であるフォーカス方向に対して直交する方向に間隔をおいて配置された支持ブロックと、
前記光ディスクの半径方向であるトラッキング方向における前記レンズホルダの両側部と前記トラッキング方向における前記支持ブロックの両側部とをそれぞれ連結し前記支持ブロックに対して前記レンズホルダを前記フォーカス方向と前記トラッキング方向とに移動可能に支持する複数のサスペンションワイヤとを備える光ピックアップであって、
前記複数のサスペンションワイヤは、互いにばね定数が異なっている、
ことを特徴とする光ピックアップ。
【請求項２】
前記レンズホルダのトラッキング方向における両側部と前記支持ブロックのトラッキング方向における両側部とは、それぞれ４本のサスペンションワイヤで連結され、これら４本のサスペンションワイヤのうち２本のサスペンションワイヤは残りの２本のサスペンションワイヤよりもばね定数が小さく形成されていることを特徴とする請求項１記載の光ピックアップ。
【請求項３】
前記支持ブロックにおける前記レンズホルダと反対側の箇所に、前記サスペンションワイヤの端部に電気的に接続され前記サスペンションワイヤに信号を供給する基板が取り付けられ、前記支持ブロックは前記基板を含んで構成され、前記ばね定数が小さく形成された２つのサスペンションワイヤは前記支持ブロックの両側部の切欠内を通り前記基板に取着されていることを特徴とする請求項２記載の光ピックアップ。
【請求項４】
前記レンズホルダのトラッキング方向における両側部と前記支持ブロックのトラッキング方向における両側部とは、それぞれ少なくとも３本のサスペンションワイヤで連結され、これら３本のサスペンションワイヤのうち２本のサスペンションワイヤは残りのサスペンションワイヤよりもばね定数が大きく形成され、ばね定数の大きな２本のサスペンションワイヤの両端はレンズホルダと支持ブロックに連結され、残りのばね定数の小さなサスペンションワイヤの一端はレンズホルダに連結され他端は、前記支持ブロックの両側部の切欠内を通り前記基板に前記フォーカス方向およびトラッキング方向と直交する接線方向に移動可能に連結されていることを特徴とする請求項１記載の光ピックアップ。
【請求項５】
前記レンズホルダのトラッキング方向における両側部と前記支持ブロックのトラッキング方向における両側部とは、それぞれ少なくとも３本のサスペンションワイヤで連結され、これら３本のサスペンションワイヤのうち２本のサスペンションワイヤは残りのサスペンションワイヤよりもばね定数が大きく形成され、前記基板に、前記フォーカス方向およびトラッキング方向と直交する接線方向に揺動可能な揺動片が設けられ、ばね定数の大きな２本のサスペンションワイヤの両端はレンズホルダと支持ブロックに連結され、残りのばね定数の小さなサスペンションワイヤの一端はレンズホルダに連結され他端は前記揺動片に連結されていることを特徴とする請求項１記載の光ピックアップ。
【請求項６】
光源から出射された光ビームを集光して光ディスクに照射する対物レンズを保持するレンズホルダと、
前記レンズホルダから前記光ディスクの厚さ方向であるフォーカス方向に対して直交する方向に間隔をおいて配置された支持ブロックと、
前記光ディスクの半径方向であるトラッキング方向における前記レンズホルダの両側部と前記トラッキング方向における前記支持ブロックの両側部とをそれぞれ連結し前記支持ブロックに対して前記レンズホルダを前記フォーカス方向と前記トラッキング方向とに移動可能に支持する複数のサスペンションワイヤとを備える光ピックアップであって、
前記支持ブロックにおける前記レンズホルダと反対側の箇所に、前記サスペンションワイヤの端部に電気的に接続され前記サスペンションワイヤに信号を供給する基板が取り付けられ、前記支持ブロックは前記基板を含んで構成され、
前記レンズホルダのトラッキング方向における両側部と前記支持ブロックのトラッキング方向における両側部とは、それぞれ少なくとも３本のサスペンションワイヤで連結され、
これら３本のサスペンションワイヤのうち２本のサスペンションワイヤの両端はレンズホルダと支持ブロックに連結され、
残りのサスペンションワイヤの一端はレンズホルダに連結され他端は前記支持ブロックの両側部の切欠内を通り前記基板に前記フォーカス方向およびトラッキング方向と直交する接線方向に移動可能に連結されている、
ことを特徴とする光ピックアップ。
【請求項７】
前記基板に、前記接線方向に揺動可能な揺動片が設けられ、前記残りのサスペンションワイヤの他端は前記支持ブロックの両側部の切欠内を通り前記揺動片に連結されていることを特徴とする請求項６記載の光ピックアップ。
【請求項８】
一端がレンズホルダに連結され他端が前記支持ブロックの両側部の切欠内を通り前記基板に前記接線方向に移動可能に連結されたサスペンションワイヤは、両端がレンズホルダと支持ブロックに連結されたサスペンションワイヤよりもばね定数が小さく形成されていることを特徴とする請求項６記載の光ピックアップ。
【請求項９】
光ディスクを保持して回転駆動する駆動手段と、
前記駆動手段によって回転駆動する光ディスクに対し記録及びまたは再生用の光ビームを照射し、前記照射された光ビームの前記光記録媒体での反射光による反射光ビームを検出する光ピックアップとを有する光ディスク装置であって、
前記光ピックアップは、
光源から出射された光ビームを集光して光ディスクに照射する対物レンズを保持するレンズホルダと、
前記レンズホルダから前記光ディスクの厚さ方向であるフォーカス方向に対して直交する方向に間隔をおいて配置された支持ブロックと、
前記光ディスクの半径方向であるトラッキング方向における前記レンズホルダの両側部と前記トラッキング方向における前記支持ブロックの両側部とをそれぞれ連結し前記支持ブロックに対して前記レンズホルダを前記フォーカス方向と前記トラッキング方向とに移動可能に支持する複数のサスペンションワイヤとを備える光ピックアップであって、
前記複数のサスペンションワイヤは、互いにばね定数が異なっている、
ことを特徴とする光ディスク装置。
【請求項１０】
前記レンズホルダのトラッキング方向における両側部と前記支持ブロックのトラッキング方向における両側部とは、それぞれ４本のサスペンションワイヤで連結され、これら４本のサスペンションワイヤのうち２本のサスペンションワイヤは残りの２本のサスペンションワイヤよりもばね定数が小さく形成されていることを特徴とする請求項９記載の光ディスク装置。
【請求項１１】
前記支持ブロックにおける前記レンズホルダと反対側の箇所に、前記サスペンションワイヤの端部に電気的に接続され前記サスペンションワイヤに信号を供給する基板が取り付けられ、前記支持ブロックは前記基板を含んで構成され、前記ばね定数が小さく形成された２つのサスペンションワイヤは前記支持ブロックの両側部の切欠内を通り前記基板に取着されていることを特徴とする請求項１０記載の光ディスク装置。
【請求項１２】
前記レンズホルダのトラッキング方向における両側部と前記支持ブロックのトラッキング方向における両側部とは、それぞれ少なくとも３本のサスペンションワイヤで連結され、これら３本のサスペンションワイヤのうち２本のサスペンションワイヤは残りのサスペンションワイヤよりもばね定数が大きく形成され、ばね定数の大きな２本のサスペンションワイヤの両端はレンズホルダと支持ブロックに連結され、残りのばね定数の小さなサスペンションワイヤの一端はレンズホルダに連結され他端は、前記支持ブロックの両側部の切欠内を通り前記基板に前記フォーカス方向およびトラッキング方向と直交する接線方向に移動可能に連結されていることを特徴とする請求項９記載の光ディスク装置。
【請求項１３】
前記レンズホルダのトラッキング方向における両側部と前記支持ブロックのトラッキング方向における両側部とは、それぞれ少なくとも３本のサスペンションワイヤで連結され、これら３本のサスペンションワイヤのうち２本のサスペンションワイヤは残りのサスペンションワイヤよりもばね定数が大きく形成され、前記基板に、前記フォーカス方向およびトラッキング方向と直交する接線方向に揺動可能な揺動片が設けられ、ばね定数の大きな２本のサスペンションワイヤの両端はレンズホルダと支持ブロックに連結され、残りのばね定数の小さなサスペンションワイヤの一端はレンズホルダに連結され他端は前記揺動片に連結されていることを特徴とする請求項９記載の光ディスク装置。
【請求項１４】
光ディスクを保持して回転駆動する駆動手段と、
前記駆動手段によって回転駆動する光ディスクに対し記録及びまたは再生用の光ビームを照射し、前記照射された光ビームの前記光記録媒体での反射光による反射光ビームを検出する光ピックアップとを有する光ディスク装置であって、
前記光ピックアップは、
光源から出射された光ビームを集光して光ディスクに照射する対物レンズを保持するレンズホルダと、
前記レンズホルダから前記光ディスクの厚さ方向であるフォーカス方向に対して直交する方向に間隔をおいて配置された支持ブロックと、
前記光ディスクの半径方向であるトラッキング方向における前記レンズホルダの両側部と前記トラッキング方向における前記支持ブロックの両側部とをそれぞれ連結し前記支持ブロックに対して前記レンズホルダを前記フォーカス方向と前記トラッキング方向とに移動可能に支持する複数のサスペンションワイヤとを備える光ピックアップであって、
前記支持ブロックにおける前記レンズホルダと反対側の箇所に、前記サスペンションワイヤの端部に電気的に接続され前記サスペンションワイヤに信号を供給する基板が取り付けられ、前記支持ブロックは前記基板を含んで構成され、
前記レンズホルダのトラッキング方向における両側部と前記支持ブロックのトラッキング方向における両側部とは、それぞれ少なくとも３本のサスペンションワイヤで連結され、
これら３本のサスペンションワイヤのうち２本のサスペンションワイヤの両端はレンズホルダと支持ブロックに連結され、
残りのサスペンションワイヤの一端はレンズホルダに連結され他端は前記支持ブロックの両側部の切欠内を通り前記基板に前記フォーカス方向およびトラッキング方向と直交する接線方向に移動可能に連結されている、
ことを特徴とする光ディスク装置。
【請求項１５】
前記基板に、前記接線方向に揺動可能な揺動片が設けられ、前記残りのサスペンションワイヤの他端は前記支持ブロックの両側部の切欠内を通り前記揺動片に連結されていることを特徴とする請求項１４記載の光ディスク装置。
【請求項１６】
一端がレンズホルダに連結され他端が前記支持ブロックの両側部の切欠内を通り前記基板に前記接線方向に移動可能に連結されたサスペンションワイヤは、両端がレンズホルダと支持ブロックに連結されたサスペンションワイヤよりもばね定数が小さく形成されていることを特徴とする請求項１４記載の光ディスク装置。
【発明の詳細な説明】
【技術分野】
【０００１】
本発明は、光ディスクに信号の記録や再生を行う光ディスク装置および光ディスク装置に用いられる光ピックアップに関する。
【背景技術】
【０００２】
ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光ディスクに対して信号の記録あるいは再生あるいは記録および再生を行う光ピックアップがある。
このような光ピックアップとして、光源から出射された光ビームを集光して光ディスクに照射する対物レンズを保持するレンズホルダと、レンズホルダを光ディスクの厚さ方向であるフォーカス方向と光ディスクの半径方向であるトラッキング方向とに移動可能に支持する支持ブロックとを有し、レンズホルダのトラッキング方向における両側部と前記支持ブロックのトラッキング方向における両側部とをそれぞれ２本のサスペンションワイヤで、すなわち合計４本のサスペンションワイヤで連結したものが従来から使用されている。
このような光ピックアップは、光スポットを光ディスクの記録面のトラック上に合焦点するため、対物レンズを光ディスクの厚さ方向であるフォーカス方向に移動させるフォーカスアクチュエータと、光スポットを光ディスクのトラックに追従させるため、対物レンズを光ディスクの半径方向であるトラッキング方向に移動させるトラッキングアクチュエータとからなるいわゆる２軸アクチュエータを備えている。
そして、フォーカスアクチュエータおよびトラッキングアクチュエータを駆動する駆動信号を前記４本のサスペンションワイヤを介してフォーカスアクチュエータおよびトラッキングアクチュエータに供給している。
近年、光ディスクの高記録密度化に伴い、レンズホルダ側に球面収差を補正する球面収差補正素子や対物レンズの光軸を光ディスクの傾きに応じて傾けるチルト機構などを設けた光ピックアップが提案されている。
このような光ピックアップでは、前記球面収差補正素子やチルト機構に所定の電気信号を供給するために、前記４本のサスペンションワイヤの他に信号供給用のサスペンションワイヤを増設している（例えば特許文献１参照）。
【特許文献１】特開２００１−２９７４６０号公報
【発明の開示】
【発明が解決しようとする課題】
【０００３】
しかしながら、上述のように信号供給用のサスペンションワイヤを増設すると、サスペンションワイヤ全体のばね定数が高くなるため、フォーカスアクチュエータやトラッキングアクチュエータに供給する駆動電流を増大させなくてはならず、消費電力を低減する上で不利があった。
また、サスペンションワイヤの本数が増え組み付け精度にばらつきがあると、フォーカス方向およびトラッキング方向への移動に伴う対物レンズのスキュー（傾き）が増大するため、これらサスペンションワイヤの組付けについて高い精度が要求され、組み立てコストの低減を図る上で不利があった。
本発明はこのような事情に鑑みなされたもので、その目的は消費電流と組み立てコストの低減を図る上で有利な光ピックアップおよび光ディスク装置を提供することにある。
【課題を解決するための手段】
【０００４】
上記目的を達成するために本発明は、光源から出射された光ビームを集光して光ディスクに照射する対物レンズを保持するレンズホルダと、前記レンズホルダから前記光ディスクの厚さ方向であるフォーカス方向に対して直交する方向に間隔をおいて配置された支持ブロックと、前記光ディスクの半径方向であるトラッキング方向における前記レンズホルダの両側部と前記トラッキング方向における前記支持ブロックの両側部とをそれぞれ連結し前記支持ブロックに対して前記レンズホルダを前記フォーカス方向と前記トラッキング方向とに移動可能に支持する複数のサスペンションワイヤとを備える光ピックアップであって、前記複数のサスペンションワイヤは、互いにばね定数が異なっていることを特徴とする。
また、本発明は、光ディスクを保持して回転駆動する駆動手段と、前記駆動手段によって回転駆動する光ディスクに対し記録及びまたは再生用の光ビームを照射し、前記照射された光ビームの前記光記録媒体での反射光による反射光ビームを検出する光ピックアップとを有する光ディスク装置であって、前記光ピックアップは、光源から出射された光ビームを集光して光ディスクに照射する対物レンズを保持するレンズホルダと、前記レンズホルダから前記光ディスクの厚さ方向であるフォーカス方向に対して直交する方向に間隔をおいて配置された支持ブロックと、前記光ディスクの半径方向であるトラッキング方向における前記レンズホルダの両側部と前記トラッキング方向における前記支持ブロックの両側部とをそれぞれ連結し前記支持ブロックに対して前記レンズホルダを前記フォーカス方向と前記トラッキング方向とに移動可能に支持する複数のサスペンションワイヤとを備える光ピックアップであって、前記複数のサスペンションワイヤは、互いにばね定数が異なっていることを特徴とする。
また、本発明は、光源から出射された光ビームを集光して光ディスクに照射する対物レンズを保持するレンズホルダと、前記レンズホルダから前記光ディスクの厚さ方向であるフォーカス方向に対して直交する方向に間隔をおいて配置された支持ブロックと、前記光ディスクの半径方向であるトラッキング方向における前記レンズホルダの両側部と前記トラッキング方向における前記支持ブロックの両側部とをそれぞれ連結し前記支持ブロックに対して前記レンズホルダを前記フォーカス方向と前記トラッキング方向とに移動可能に支持する複数のサスペンションワイヤとを備える光ピックアップであって、前記支持ブロックにおける前記レンズホルダと反対側の箇所に、前記サスペンションワイヤの端部に電気的に接続され前記サスペンションワイヤに信号を供給する基板が取り付けられ、前記支持ブロックは前記基板を含んで構成され、前記レンズホルダのトラッキング方向における両側部と前記支持ブロックのトラッキング方向における両側部とは、それぞれ少なくとも３本のサスペンションワイヤで連結され、これら３本のサスペンションワイヤのうち２本のサスペンションワイヤの両端はレンズホルダと支持ブロックに連結され、残りのサスペンションワイヤの一端はレンズホルダに連結され他端は前記支持ブロックの両側部の切欠内を通り前記基板に前記フォーカス方向およびトラッキング方向と直交する接線方向に移動可能に連結されていることを特徴とする。
また、本発明は、光ディスクを保持して回転駆動する駆動手段と、前記駆動手段によって回転駆動する光ディスクに対し記録及びまたは再生用の光ビームを照射し、前記照射された光ビームの前記光記録媒体での反射光による反射光ビームを検出する光ピックアップとを有する光ディスク装置であって、前記光ピックアップは、光源から出射された光ビームを集光して光ディスクに照射する対物レンズを保持するレンズホルダと、前記レンズホルダから前記光ディスクの厚さ方向であるフォーカス方向に対して直交する方向に間隔をおいて配置された支持ブロックと、前記光ディスクの半径方向であるトラッキング方向における前記レンズホルダの両側部と前記トラッキング方向における前記支持ブロックの両側部とをそれぞれ連結し前記支持ブロックに対して前記レンズホルダを前記フォーカス方向と前記トラッキング方向とに移動可能に支持する複数のサスペンションワイヤとを備える光ピックアップであって、前記支持ブロックにおける前記レンズホルダと反対側の箇所に、前記サスペンションワイヤの端部に電気的に接続され前記サスペンションワイヤに信号を供給する基板が取り付けられ、前記支持ブロックは前記基板を含んで構成され、前記レンズホルダのトラッキング方向における両側部と前記支持ブロックのトラッキング方向における両側部とは、それぞれ少なくとも３本のサスペンションワイヤで連結され、これら３本のサスペンションワイヤのうち２本のサスペンションワイヤの両端はレンズホルダと支持ブロックに連結され、残りのサスペンションワイヤの一端はレンズホルダに連結され他端は前記支持ブロックの両側部の切欠内を通り前記基板に前記フォーカス方向およびトラッキング方向と直交する接線方向に移動可能に連結されていることを特徴とする。
【発明の効果】
【０００５】
本発明によれば、トラッキング方向におけるレンズホルダの両側部とトラッキング方向における支持ブロックの両側部とをそれぞれ連結する複数のサスペンションワイヤのばね定数が互いに異なるようにしたので、レンズホルダを支持するサスペンションワイヤ全体のばね定数を小さくでき、フォーカス方向あるいはトラッキング方向に大きな力を要せずにレンズホルダをそれらの方向に円滑に移動させることができ、フォーカス用の駆動信号およびトラッキング用の駆動電流を増大させる必要がなく、消費電力を低減する上で有利となる。
また、従来のように単純に同じ値のばね定数のサスペンションワイヤを増設した場合に比較して、レンズホルダを支持するサスペンションワイヤ全体のばね定数を小さくできるので、フォーカス方向およびトラッキング方向への移動に伴う対物レンズのスキュー（傾き）の増大を抑制することができ、したがってサスペンションワイヤの組付けについて高い精度は要求されず、組み立てコストの低減を図る上で有利となる。
また、本発明によれば、レンズホルダのトラッキング方向における両側部と支持ブロックのトラッキング方向における両側部とを連結するそれぞれ少なくとも３本のサスペンションワイヤのうち２本のサスペンションワイヤの両端はレンズホルダと支持ブロックに連結され、残りのサスペンションワイヤの一端はレンズホルダに連結され他端は支持ブロックの両側部の切欠内を通り前記基板に前記フォーカス方向およびトラッキング方向と直交する接線方向に移動可能に連結されているので、前記発明と同様に、レンズホルダを支持するサスペンションワイヤ全体のばね定数を小さくでき、フォーカス方向あるいはトラッキング方向に大きな力を要せずにレンズホルダをそれらの方向に円滑に移動させることができ、フォーカス用の駆動信号およびトラッキング用の駆動電流を増大させる必要がなく、消費電力を低減する上で有利となり、また、組み立てコストの低減を図る上で有利となる。
【発明を実施するための最良の形態】
【０００６】
本発明は、消費電流と組み立てコストの低減を図るという目的を、複数のサスペンションワイヤを、互いにばね定数が異なるように形成することで実現した。
また、本発明は、サスペンションワイヤの一端をレンズホルダに連結し、他端を支持ブロックの両側部の切欠内を通り基板にフォーカス方向およびトラッキング方向と直交する接線方向に移動可能に連結することで実現した。
【実施例１】
【０００７】
以下、本発明による光ピックアップ及び記録再生装置の実施の形態を図面に基づいて詳細に説明する。
図１は、本発明の実施例１における光ピックアップを組み込んだ光ディスク装置の構成を示すブロック図である。
【０００８】
図１において、光ディスク装置１０１は、ＣＤ−ＲやＤＶＤ±Ｒ、ＤＶＤ−ＲＡＭなどの光記録媒体としての光ディスク１０２を回転駆動する駆動手段としてのスピンドルモータ１０３と、光ピックアップ１０４と、光ピックアップ１０４をその半径方向に移動させる駆動手段としての送りモータ１０５とを備えている。ここで、スピンドルモータ１０３は、システムコントローラ１０７及びサーボ制御部１０９により所定の回転数で駆動制御される構成になっている。
【０００９】
信号変復調部及びＥＣＣブロック１０８は、信号処理部１２０から出力される信号の変調、復調及びＥＣＣ（エラー訂正符号）の付加を行う。光ピックアップ１０４は、システムコントローラ１０７及びサーボ制御部１０９からの指令に従って回転する光ディスク１０２の信号記録面に対して光ビームを照射する。このような光照射により光ディスク１０２に対する光信号の記録、再生が行われる。
また、光ピックアップ１０４は、光ディスク１０２の信号記録面からの反射光ビームに基づいて、後述するような各種の光ビームを検出し、各光ビームに対応する信号を信号処理部１２０に供給できるように構成されている。
【００１０】
前記信号処理部１２０は、各光ビームに対応する検出信号に基づいてサーボ制御用信号、すなわち、フォーカスエラー信号、トラッキングエラー信号、ＲＦ信号、ランニングＯＰＣ処理に必要なモニタ信号（以下Ｒ−ＯＰＣ信号という）、記録時における光ディスクの回転制御を行うために必要なＡＴＩＰ信号などを生成できるように構成されている。また、再生対象とされる記録媒体の種類に応じて、サーボ制御部１０９、信号変調及びＥＣＣブロック１０８等により、これらの信号に基づく復調及び誤り訂正処理等の所定の処理が行われる。
ここで、信号変調及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるように構成されている。
【００１１】
また、信号変調及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
光ピックアップ１０４には送りモータ１０５が接続され、送りモータ１０５の回転によって光ピックアップ１０４が光ディスク１０２上の所定の記録トラックまで移動されるように構成されている。スピンドルモータ１０３の制御と、送りモータ１０５の制御と、光ピックアップ１０４の対物レンズを保持するアクチュエータのフォーカシング方向及びトラッキング方向の制御は、それぞれサーボ制御部１０９により行われる。
すなわち、サーボ制御部１０９は、ＡＴＩＰ信号に基づいてスピンドルモータ１０３の制御を行ない、フォーカスエラー信号およびトラッキングエラー信号に基づいてアクチュエータの制御を行う。
また、レーザ制御部１２１は、光ピックアップ１０４におけるレーザ光源を制御するものである。
【００１２】
なお、ここでフォーカス方向とは光ディスク１０１の厚さ方向をいい、トラッキング方向とは光ディスク１０１の半径方向をいい、接線方向（タンジェンシャル方向）とは光ディスク１０１の円周の接線方向、すなわち前記フォーカス方向およびトラッキング方向の双方と直交する方向をいう。
また、サーボ制御部１０９は、信号処理部１２０から入力される再生信号に基づいて後述する球面収差補正素子に供給するための駆動信号を生成し、前記収差補正素子に供給することで光ディスク１０４に起因する球面収差を補正するように構成されている。
【００１３】
次に光ピックアップ１０４について詳細に説明する。
図２は本発明の実施例１による光ピックアップの斜視図、図３は実施例１による光ピックアップから基板を取り除いた状態を示す斜視図、図４は図３のＡ矢視図である。
光ピックアップ１０４は、光を出射する光源としての半導体レーザと、光ディスク１０２の信号記録面からの反射光ビームを検出する光検出素子としてのフォトダイオードと、半導体レーザからの光を光ディスク１０１に導くとともに、前記反射光ビームを前記光検出素子に導く光学系とを有している。
光ピックアップ１０４は、光ディス装置１００の筐体内で光ディスク１０１の半径方向に移動可能に設けられたマウント部材６０（図４参照）上に設けられている。
光ピックアップ１０４は、前記光源から出射された光ビームを集光して光ディスクに照射する対物レンズ７を保持するレンズホルダ２と、レンズホルダ２から前記接線方向に（前記フォーカス方向と直交する方向に）間隔をおいて配置された支持ブロック３とを備え、対物レンズ７は、光ピックアップ１０４の光学系の一部を構成している。
レンズホルダ２は、対物レンズ７の半径方向外側で対物レンズ７を囲むように設けられ、その中央部で対物レンズ７を保持している。レンズホルダ２の外周にはフォーカスコイル１０が巻回され、対物レンズ２の光軸を前記接線方向で挟むレンズホルダ２の両側箇所のそれぞれには、２つのトラッキングコイル１１がトラッキング方向に間隔をおいて取着されている。
レンズホルダ２の内部には光ディスク１０２の記録面で反射された反射光ビームの球面収差を補正する不図示の球面収差補正素子が組み込まれている。
レンズホルダ２のトラッキング方向の両側には、それぞれフォーカス方向に間隔をおいて４つのワイヤ支持部８が設けられている。
【００１４】
フォーカス方向でレンズホルダ２とマウント部材６０との間の箇所には、フォーカス方向に間隔をおいてヨークベース１８が設けられている。ヨークベース１８はマウント部材６０に取着され、ヨークベース１８には対物レンズ７の光軸が通る部分に開口が設けられている。
ヨークベース１８の前記接線方向の両側には一対のヨーク１８ａが立設され、各ヨーク１８ａの互いに対向する面にはトラッキングコイル１１に臨むように一対のマグネット１９が取着されている。また、一対のヨーク１８ａの間にはこれらヨーク１８ａとは別の一対のヨーク（不図示）がレンズホルダ２に設けられた一対の開口部（不図示）を介してフォーカスコイル１０の内側箇所に臨むように立設されている
【００１５】
支持ブロック３は、図３に示すように、トラッキング方向に沿った長さと、フォーカス方向に沿った高さとを有している。
トラッキング方向に沿った支持ブロック３の両側には、それぞれフォーカス方向に間隔をおいて２つのワイヤ支持部１４が設けられ、これら２つのワイヤ支持部１４の間の箇所に切欠３０２が外方に開放状に形成されている。
本実施例では、支持ブロック３は基板１５を含んで構成されており、基板１５はリジッドな絶縁基板に配線パターンが形成されたものであり、基板１５はレンズホルダ２に面した箇所と反対側の支持ブロック３の箇所に取着されている。
レンズホルダ２のトラッキング方向における両側部と支持ブロック３のトラッキング方向における両側部とは、それぞれ４本のサスペンションワイヤ８０で連結されている。
４本のサスペンションワイヤはフォーカス方向に間隔をおいて互いに平行に設けられ、支持ブロック３に対してレンズホルダ２を前記フォーカス方向と前記トラッキング方向とに移動可能に支持している。
これら各サスペンションワイヤは導電性および弾性を有する材質で構成され、前記フォーカス用の駆動信号がフォーカスコイル１０に供給されていない状態では、レンズホルダ２はサスペンションワイヤ８０２，８０４，８０６，８０８の弾性によりフォーカス方向の中立位置に保持され、また、前記トラッキング用の駆動信号がトラッキングコイル１１に供給されていない状態では、レンズホルダ２はサスペンションワイヤ８０２，８０４，８０６，８０８の弾性によりトラッキング方向の中立位置に保持されるように構成されている。
本実施例では、４本のサスペンションワイヤ８０のうち前記フォーカス方向の中間に並べられた２本のサスペンションワイヤは、前記フォーカス方向の両端に並べられた２本のサスペンションワイヤよりもばね定数が小さく形成されている。より詳細に説明すると、４本のサスペンションワイヤ８０のうち前記フォーカス方向の中間に並べられた２本のサスペンションワイヤは互いに等しい値の小さいばね定数で形成され、前記フォーカス方向の両端に並べられた２本のサスペンションワイヤは互いに等しく前記ばね定数よりも大きい値のばね定数で形成されている。
このようなばね定数の設定は、例えばサスペンションワイヤの線径や材料の選択などによりなされる。
具体的に説明すると、図３、図４に示すように、ばね定数の大きな２本のサスペンションワイヤ８０２，８０８の一端は、レンズホルダ２の４つのワイヤ支持部８のうちフォーカス方向の両端に位置する２つのワイヤ支持部８に取着され、他端は支持ブロック３の２つのワイヤ支持部１４に取着され、さらにこの他端は基板１５に半田付けされ基板１５の配線パターンに電気的に接続されている。
また、ばね定数の小さな２本のサスペンションワイヤ８０４，８０６の一端は、レンズホルダ２の４つのワイヤ支持部８のうち残り２つのワイヤ支持部８に取着され、他端は支持ブロック３の一側の切欠３０２内を通り基板１５に半田付けされ基板１５の配線パターンに電気的に接続されている。
【００１６】
基板１５の配線パターンには不図示の配線部材を介して前記サーボ制御部１０９からフォーカス用の駆動信号とトラッキング用の駆動信号と前記球面収差補正素子用の駆動信号とが供給されている。
前記フォーカス用の駆動信号は前記配線パターンとサスペンションワイヤ８０２、８０２を介してフォーカスコイル１０に供給される。
前記トラッキング用の駆動信号は前記配線パターンとサスペンションワイヤ８０８，８０８を介してトラッキングコイル１１に供給される。
前記球面収差補正素子用の駆動信号は前記配線パターンとサスペンションワイヤ８０４、８０４、８０６，８０６を介して前記球面収差補正素子に供給される。
【００１７】
次に光ピックアップ１０４の動作について説明する。
サーボ制御部１０９から前記フォーカス用の駆動信号がフォーカスコイル１０に供給されると、フォーカスコイル１０に発生した磁界と各マグネット１９の磁界との磁気相互作用によって生じるフォーカス方向の力が、サスペンションワイヤ８０２，８０４，８０６，８０８によってレンズホルダ２を前記フォーカス方向の中立位置に戻そうとする復元力に抗してレンズホルダ２に作用することによりレンズホルダ２がフォーカス方向に動かされる。
また、サーボ制御部１０９からトラッキングコイル１１に前記トラッキング用の駆動信号が供給されると、トラッキングコイル１１に発生した磁界と各マグネット１９の磁界との磁気相互作用によってトラッキング方向の力が、サスペンションワイヤ８０２，８０４，８０６，８０８によってレンズホルダ２を前記トラッキング方向の中立位置に戻そうとする復元力に抗してレンズホルダ２に作用することによりレンズホルダ２がトラッキング方向に動かされる。
サーボ制御部１０９から前記球面収差補正素子に前記球面収差補正素子用の駆動信号が供給されることにより、前記球面収差補正素子の屈折率が対物レンズ７の光軸と直交する方向に沿って部分的に変化され、これにより前記球面収差補正素子を通過する前記反射光ビームにおける球面収差の影響が除去される。
サーボ制御部１０９による球面収差補正素子用の駆動信号の生成は、サーボ制御部１０９が信号処理部１２０から入力される前記ＲＦ信号のジッタ値をモニタし、ジッタ値が低減されるようになされる。
なお、前記フォーカス用の駆動信号がフォーカスコイル１０に供給されていない状態では、レンズホルダ２はサスペンションワイヤ８０２，８０４，８０６，８０８の弾性によりフォーカス方向の中立位置に保持され、また、前記トラッキング用の駆動信号がトラッキングコイル１１に供給されていない状態では、レンズホルダ２はサスペンションワイヤ８０２，８０４，８０６，８０８の弾性によりトラッキング方向の中立位置に保持される。
【００１８】
本実施例によれば、支持ブロック３に対してレンズホルダ２を前記フォーカス方向と前記トラッキング方向とに移動可能に支持する複数のサスペンションワイヤ８０のばね定数が互いに異なる構成とし、レンズホルダ２のトラッキング方向における両側部と支持ブロック３のトラッキング方向における両側部とは、それぞれ４本のサスペンションワイヤ８０２，８０４，８０６，８０８で連結され、これら４本のサスペンションワイヤのうち２本のサスペンションワイヤ８０４，８０６は残りの２本のサスペンションワイヤ８０２，８０８よりもばね定数が小さく形成した。
したがって、レンズホルダ２を支持するサスペンションワイヤ８０全体のばね定数を小さくでき、前記フォーカス方向あるいはトラッキング方向に大きな力を要せずにレンズホルダ２をそれらの方向に円滑に移動させることができ、フォーカス用の駆動信号およびトラッキング用の駆動電流を増大させる必要がなく、消費電力を低減する上で有利となる。
また、従来のように単純に同じばね定数のサスペンションワイヤを増設した場合に比較して、レンズホルダ２を支持するサスペンションワイヤ８０全体のばね定数を小さくできるので、言い換えると、ばね定数の小さいサスペンションワイヤ８０４，８０６を増設することになるので、フォーカス方向およびトラッキング方向への移動に伴う対物レンズ２のスキュー（傾き）の増大を抑制することができ、したがってサスペンションワイヤ８０の組付けについて高い精度は要求されず、組み立てコストの低減を図る上で有利となる。
【００１９】
なお、本実施例では、レンズホルダ２に球面収差補正素子を組み込み、ばね定数の小さいサスペンションワイヤを介して球面収差補正素子に駆動信号を供給したが、レンズホルダ２に組み込まれ駆動信号の供給が必要な素子や機構は、前記球面収差補正素子に限られるものではなく、例えば光学的に対物レンズのチルト補正を行うチルト補正素子などがある。
また、レンズホルダ２にこのような素子や機構を２つ以上組み込む場合には、組み込まれた素子や機構に駆動信号を供給するために必要な数の、ばね定数の小さいサスペンションワイヤを増設すればよい。
また、本実施例では、レンズホルダ２のトラッキング方向における両側部と支持ブロック３のトラッキング方向における両側部とがそれぞれ４本のサスペンションワイヤ８０で連結されている場合について説明したが、本発明は３本以上のサスペンションワイヤが配設される場合に広く適用される。
【実施例２】
【００２０】
次に実施例２について説明する。
実施例２が実施例１と異なるのは、ばね定数の小さなサスペンションワイヤの他端が基板に前記接線方向に移動可能に連結されている点である。
図５は本発明の実施例２による光ピックアップの斜視図であり、以下実施例１と同様の部分には同一の符号を付して説明する。
図５に示すように、実施例３の光ピックアップ１０４′では、互いに等しい値のばね定数の大きな２本のサスペンションワイヤ８０２，８０８の一端が、レンズホルダ２の４つのワイヤ支持部８のうちフォーカス方向の両端に位置する２つのワイヤ支持部８に取着され、他端が支持ブロック３の２つのワイヤ支持部１４に取着され、さらにこの他端は基板１５に半田付けされ基板１５の配線パターンに電気的に接続されているのは実施例１と同様である。
一方、互いに等しい値のばね定数の小さな２本のサスペンションワイヤ８０４，８０６の一端が、レンズホルダ２の４つのワイヤ支持部８のうち残り２つのワイヤ支持部８に取着されているのは実施例１と同様であるが、他端は支持ブロック３の一側の切欠３０２内を通り、基板１５に設けられた揺動片１５０２に半田付けされこの揺動片１５０２を介して基板１５の配線パターンに電気的に接続されている点が実施例１と異なっている。
揺動片１５０２は、基板１５のトラッキング方向の両側にそれぞれ設けられている。
各揺動片１５０２は、基板１５に設けられた溝１５０３によりその輪郭が前記トラッキング方向に沿って延在する帯板状に形成され、長手方向の一端が基板１５の部分に接続され、他端が前記一端を支点として基板１５の厚さ方向、すなわち前記接線方向に揺動可能に構成されている。
揺動片１５０２の他端の２つの孔にばね定数の小さな２本のサスペンションワイヤ８０４，８０６の一端が挿通され半田付けされており、これにより、ばね定数の小さなサスペンションワイヤ８０４，８０６の他端が基板１５に前記接線方向に移動可能に連結されている。
実施例２によれば、ばね定数の小さなサスペンションワイヤ８０４，８０６の他端が基板１５に前記接線方向に移動可能に連結されているので、レンズホルダ２を支持するサスペンションワイヤ８０全体のばね定数をさらに低減したのと同様の効果を得ることができ、消費電力を低減する上で、および、組み立てコストの低減を図る上でより有利となる。
【実施例３】
【００２１】
次に実施例３について説明する。
実施例３は実施例２の変形例であり、全てのサスペンションワイヤのばね定数が同一に形成されている点が実施例２と異なっている。
図６は本発明の実施例３による光ピックアップの斜視図である。
図６に示すように、実施例３の光ピックアップ１０４″では、レンズホルダ２の両側部と支持ブロック３の両側部とが、それぞればね定数が同一の値の４本のサスペンションワイヤ８０２Ａ，８０４Ａ，８０６Ａ，８０８Ａによって連結されている。
具体的に説明すると、４本のサスペンションワイヤのうち２本のサスペンションワイヤ８０２Ａ，８０８Ａの一端は、レンズホルダ２の４つのワイヤ支持部８のうちフォーカス方向の両端に位置する２つのワイヤ支持部８に取着され、他端は支持ブロック３の２つのワイヤ支持部１４に取着され、さらにこの他端は基板１５に半田付けされ基板１５の配線パターンに電気的に接続されている。
残りの２本のサスペンションワイヤ８０４Ａ，８０６Ａの一端は、レンズホルダ２の４つのワイヤ支持部８のうち残り２つのワイヤ支持部８に取着されているのは実施例１と同様であるが、他端は支持ブロック３の一側の切欠３０２内を通り、実施例２と同様に基板１５に設けられた揺動片１５０２に半田付けされこの揺動片１５０２を介して基板１５の配線パターンに電気的に接続されている。
実施例３によれば、残りの２本のサスペンションワイヤ８０４Ａ，８０６Ａの他端が基板１５に前記接線方向に移動可能に連結されているので、レンズホルダ２を支持するサスペンションワイヤ８０全体のばね定数を低減したのと同様の効果を得ることができ、消費電力を低減する上で、および、組み立てコストの低減を図る上で有利となる。
【図面の簡単な説明】
【００２２】
【図１】本発明の実施例１における光ピックアップを組み込んだ光ディスク装置の構成を示すブロック図である。
【図２】本発明の実施例１による光ピックアップの斜視図である。
【図３】実施例１による光ピックアップから基板を取り除いた状態を示す斜視図である。
【図４】図３のＡ矢視図である。
【図５】本発明の実施例２による光ピックアップの斜視図である。
【図６】本発明の実施例３による光ピックアップの斜視図である。
【符号の説明】
【００２３】
２……レンズホルダ、３……支持ブロック、７……対物レンズ、１５……基板、８０……サスペンションワイヤ、８０２，８０８……ばね定数の大きいサスペンションワイヤ、８０４，８０６……ばね定数の小さいサスペンションワイヤ、１０１……光ディスク装置、１０２……光ディスク、１０４……光ピックアップ。
【図１】
2005327378.tif 000003
【図２】
2005327378.tif 000004
【図３】
2005327378.tif 000005
【図４】
2005327378.tif 000006
【図５】
2005327378.tif 000007
【図６】
2005327378.tif 000008